(57)【要約】  無線通信装置および方法を提供する。無線通信装置は、少なくとも第１のタイプの参照信号（ＲＳ）を、サブフレーム内で短縮送信時間間隔（ＴＴＩ）がマッピングされている直交周波数分割多重（ＯＦＤＭ）シンボル以外の、ＯＦＤＭシンボルにマッピングするように動作する回路であって、短縮ＴＴＩのそれぞれは、１〜７ＯＦＤＭシンボルを含む、回路と、物理チャネルを短縮ＴＴＩのうちの１つにおいて送信するように、および少なくとも第１のタイプのＲＳを送信するように、動作する送信部とを備えることができる。【選択図】図５
2019514234.tif 000002
【特許請求の範囲】
【請求項１】
少なくとも第１のタイプの参照信号（ＲＳ）を、サブフレーム内で短縮送信時間間隔（ＴＴＩ）がマッピングされている直交周波数分割多重（ＯＦＤＭ）シンボル以外の、前記ＯＦＤＭシンボルにマッピングするように動作する回路であって、前記短縮ＴＴＩのそれぞれは、１〜７ＯＦＤＭシンボルを含む、回路と、
物理チャネルを前記短縮ＴＴＩのうちの１つにおいて送信するように、および少なくとも前記第１のタイプのＲＳを送信するように、動作する送信部と
を備える、無線通信装置。
【請求項２】
複数の短縮ＴＴＩによって、それらの関連付けられた前記第１のタイプのＲＳをマッピングするために同じＯＦＤＭシンボルが共有される、
請求項１に記載の無線通信装置。
【請求項３】
各短縮ＴＴＩは、前記短縮ＴＴＩに関連付けられた前記第１のタイプのＲＳを有している前記ＯＦＤＭシンボルの後に置かれる、
請求項１に記載の無線通信装置。
【請求項４】
前記第１のタイプのＲＳをマッピングするために前記サブフレーム内の２つ以上ＯＦＤＭシンボルを使用し、
前記２つ以上のＯＦＤＭシンボルは、互いに離間されている、
請求項１から３のいずれか一項に記載の無線通信装置。
【請求項５】
前記第１のタイプのＲＳを送信するための前記ＯＦＤＭシンボルの前記位置は、前記サブフレーム内の前記物理ダウンリンク制御チャネル（ＰＤＣＣＨ）領域の前記長さに依存する、請求項１から３のいずれか一項に記載の無線通信装置。
【請求項６】
前記第１のタイプのＲＳは、復調用参照信号（ＤＭＲＳ）であり、
前記複数の短縮ＴＴＩによって共有された前記ＯＦＤＭシンボル内の前記ＤＭＲＳは、そのそれぞれが前記複数の短縮ＴＴＩの１または複数に関連付けられている、複数のＤＭＲＳポートを多重化するために使用される、
請求項２に記載の無線通信装置。
【請求項７】
前記ＤＭＲＳポートの前記位置および／または前記用法は、物理ダウンリンク制御チャネル（ＰＤＣＣＨ）内で送信されるダウンリンクチャネル情報（ＤＣＩ）内で示される、
請求項６に記載の無線通信装置。
【請求項８】
前記ＤＭＲＳポートの前記位置および前記用法は、仕様によって決定されるかまたは前記媒体アクセス制御（ＭＡＣ）層もしくは無線リソース制御（ＲＲＣ）層によって構成される、
請求項６に記載の無線通信装置。
【請求項９】
前記ＤＭＲＳポートの前記位置は、仕様によって決定されるかまたは前記ＭＡＣ層もしくはＲＲＣ層によって構成され、
ＤＣＩは、その関連付けられたＤＭＲＳポートが仕様によって決定されるかまたはＭＡＣ層もしくはＲＲＣ層によって構成される、短縮ＴＴＩ内で送信され、
前記ＤＣＩに関連付けられている前記ＤＭＲＳポート以外の前記ＤＭＲＳポートの前記用法は、前記ＤＣＩ内で示される、
請求項６に記載の無線通信装置。
【請求項１０】
前記第１のタイプのＲＳは、復調用参照信号（ＤＭＲＳ）であり、
チャネル状態情報参照信号（ＣＳＩ−ＲＳ）である第２のタイプのＲＳは、前記ＤＭＲＳと同じＯＦＤＭシンボルにマッピングされる、
請求項１から３のいずれか一項に記載の無線通信装置。
【請求項１１】
前記送信部によって実行される前記送信は、アップリンク送信であり、
前記第１のタイプのＲＳは、前記サブフレームの前記始まりのＯＦＤＭシンボルに常にマッピングされるか、または各短縮ＴＴＩに関連付けられた前記第１のタイプのＲＳは、前記短縮ＴＴＩに隣接する前記ＯＦＤＭシンボルにマッピングされる、
請求項１に記載の無線通信装置。
【請求項１２】
少なくとも第１のタイプの参照信号（ＲＳ）を、サブフレーム内で短縮送信時間間隔（ＴＴＩ）がマッピングされている直交周波数分割多重（ＯＦＤＭ）シンボル以外の、前記ＯＦＤＭシンボルにマッピングするステップであって、前記短縮ＴＴＩのそれぞれは、１〜７ＯＦＤＭシンボルを含む、ステップと、
物理チャネルを前記短縮ＴＴＩのうちの１つにおいて送信し、および少なくとも前記第１のタイプのＲＳを送信する、ステップと
を含む、無線通信方法。
【請求項１３】
少なくとも第１のタイプの参照信号（ＲＳ）を受信するように、および１〜７直交周波数分割多重（ＯＦＤＭ）シンボルを含む短縮送信時間間隔（ＴＴＩ）において物理チャネルを受信するように、動作する受信部と、
少なくとも前記第１のタイプのＲＳに基づいて前記物理チャネルを復調するように動作する回路と
を備える無線通信装置であって、
前記第１のタイプのＲＳは、短縮ＴＴＩがマッピングされていないＯＦＤＭシンボルにマッピングされる、
無線通信装置。
【請求項１４】
少なくとも第１のタイプの参照信号（ＲＳ）を受信し、および１〜７直交周波数分割多重（ＯＦＤＭ）シンボルを含む短縮送信時間間隔（ＴＴＩ）において物理チャネルを受信する、ステップと、
少なくとも前記第１のタイプのＲＳに基づいて前記物理チャネルを復調するステップと
を含む無線通信方法であって、
前記第１のタイプのＲＳは、短縮ＴＴＩがマッピングされていないＯＦＤＭシンボルにマッピングされる、
無線通信方法。
【請求項１５】
サブフレーム内の各短縮送信時間間隔（ＴＴＩ）内でセル固有参照信号（ＣＲＳ）および復調用参照信号（ＤＭＲＳ）から最大で１つのタイプの参照信号（ＲＳ）をマッピングするように動作する回路であって、各短縮ＴＴＩは、１〜７直交周波数分割多重（ＯＦＤＭ）シンボルを含む、回路と、
短縮ＴＴＩ内で物理チャネルを送信するように動作する送信部であって、前記物理チャネルを送信する前記短縮ＴＴＩのうちの、またはその前の、前記ＯＦＤＭシンボル範囲内の前記ＲＳが、受信側で前記物理チャネルを復調するために使用される、送信部と
を備える、無線通信装置。
【請求項１６】
ＣＲＳまたはＤＭＲＳのいずれかが各短縮ＴＴＩ内でマッピングされ、
前記物理チャネルを送信する前記短縮ＴＴＩ内の前記ＣＲＳまたはＤＭＲＳは、前記物理チャネルを復調するために使用される、
請求項１５に記載の無線通信装置。
【請求項１７】
ＣＲＳが一部の短縮ＴＴＩにマッピングされ、
その他の短縮ＴＴＩにはＣＲＳもＤＭＲＳもマッピングされず、
１つのＯＦＤＭシンボル内の前記ＣＲＳが、前記１つのＯＦＤＭシンボルよりも前ではない複数のＯＦＤＭシンボルを復調するために使用されるか、または各短縮ＴＴＩよりも後ではないすべてのＣＲＳが、前記短縮ＴＴＩを復調するために使用される、
請求項１５に記載の無線通信装置。
【請求項１８】
サブフレーム内の各短縮送信時間間隔（ＴＴＩ）内でセル固有参照信号（ＣＲＳ）および復調用参照信号（ＤＭＲＳ）から最大で１つのタイプの参照信号（ＲＳ）をマッピングするステップであって、各短縮ＴＴＩは、１〜７直交周波数分割多重（ＯＦＤＭ）シンボルを含む、ステップと、
短縮ＴＴＩ内で物理チャネルを送信するステップであって、前記物理チャネルを送信する前記短縮ＴＴＩのうちの、またはその前の、前記ＯＦＤＭシンボル範囲内の前記ＲＳが、受信側で前記物理チャネルを復調するために使用される、ステップと
を含む、無線通信方法。
【請求項１９】
短縮送信時間間隔（ＴＴＩ）において物理チャネルを受信するように動作する受信部と、
前記短縮ＴＴＩのうちの、またはその前の、直交周波数分割多重（ＯＦＤＭ）シンボル範囲内の参照信号（ＲＳ）に基づいて前記物理チャネルを復調するように動作する回路と
を備える無線通信装置であって、
セル固有参照信号（ＣＲＳ）および復調用参照信号（ＤＭＲＳ）から最大で１つのタイプのＲＳがサブフレーム内の各短縮ＴＴＩ内でマッピングされ、各短縮ＴＴＩは１〜７ＯＦＤＭシンボルを含む、
無線通信装置。
【請求項２０】
短縮送信時間間隔（ＴＴＩ）において物理チャネルを受信するステップと、
前記短縮ＴＴＩのうちの、またはその前の、直交周波数分割多重（ＯＦＤＭ）シンボル範囲内の参照信号（ＲＳ）に基づいて前記物理チャネルを復調するステップと
を含む無線通信方法であって、
セル固有参照信号（ＣＲＳ）および復調用参照信号（ＤＭＲＳ）から最大で１つのタイプのＲＳがサブフレーム内の各短縮ＴＴＩ内でマッピングされ、各短縮ＴＴＩは１〜７ＯＦＤＭシンボルを含む、無線通信方法。
【発明の詳細な説明】
【技術分野】
【０００１】
本開示は、無線通信の分野、詳細には、参照信号の設計に関連する無線通信装置および無線通信方法に関する。
【背景技術】
【０００２】
レイテンシ短縮は、３ＧＰＰのＲＡＮ１における新たな検討事項であり、主な仮定は、レイテンシを短縮するために、送信時間間隔（ＴＴＩ：Ｔｒａｎｓｍｉｓｓｉｏｎ  Ｔｉｍｅ  Ｉｎｔｅｒｖａｌ）長を、１４直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル（１ｍｓ）から７ＯＦＤＭシンボル以下に短縮することができることである。以下、長さが７ＯＦＤＭシンボル以下のＴＴＩを短縮ＴＴＩと称す（同様に、ｓＴＴＩと略す）。
【発明の概要】
【発明が解決しようとする課題】
【０００３】
限定的でなく、かつ、例示的な一実施形態によれば、レイテンシ短縮のための、短縮ＴＴＩに関わる、参照信号の設計が提供される。
【課題を解決するための手段】
【０００４】
本開示の第１の一般的な態様では、少なくとも第１のタイプの参照信号（ＲＳ：Ｒｅｆｅｒｅｎｃｅ  Ｓｉｇｎａｌ）を、サブフレーム内で短縮送信時間間隔（ＴＴＩ）がマッピングされている直交周波数分割多重（ＯＦＤＭ）シンボル以外の、ＯＦＤＭシンボルにマッピングするように動作する回路であって、短縮ＴＴＩのそれぞれは、１〜７ＯＦＤＭシンボルを含む、回路と、物理チャネルを短縮ＴＴＩのうちの１つにおいて送信するように、および少なくとも第１のタイプのＲＳを送信するように動作する送信部と、を備える、無線通信装置が提供される。
【０００５】
本開示の第２の一般的な態様では、少なくとも第１のタイプの参照信号（ＲＳ）を、サブフレーム内で短縮送信時間間隔（ＴＴＩ）がマッピングされている直交周波数分割多重（ＯＦＤＭ）シンボル以外の、ＯＦＤＭシンボルにマッピングするステップであって、短縮ＴＴＩのそれぞれは、１〜７ＯＦＤＭシンボルを含む、ステップと、物理チャネルを短縮ＴＴＩのうちの１つにおいて送信し、および少なくとも第１のタイプのＲＳを送信するステップと、を含む、無線通信方法が提供される。
【０００６】
本開示の第３の一般的な態様では、サブフレーム内の各短縮送信時間間隔（ＴＴＩ）内でセル固有参照信号（ＣＲＳ：Ｃｅｌｌ−ｓｐｅｃｉｆｉｃ  Ｒｅｆｅｒｅｎｃｅ  Ｓｉｇｎａｌ）および復調用参照信号（ＤＭＲＳ：ＤｅＭｏｄｕｌａｔｉｏｎ  Ｒｅｆｅｒｅｎｃｅ  Ｓｉｇｎａｌ）から最大で１つのタイプの参照信号（ＲＳ）をマッピングするように動作する回路であって、各短縮ＴＴＩは、１〜７直交周波数分割多重（ＯＦＤＭ）シンボルを含む、回路と、短縮ＴＴＩ内で物理チャネルを送信するように動作する送信部であって、物理チャネルを送信する短縮ＴＴＩのうちの、またはその前の、ＯＦＤＭシンボル範囲内のＲＳが、受信側で物理チャネルを復調するために使用される、送信部と、を備える、無線通信装置が提供される。
【０００７】
本開示の第４の一般的な態様では、サブフレーム内の各短縮送信時間間隔（ＴＴＩ）内でセル固有参照信号（ＣＲＳ）および復調用参照信号（ＤＭＲＳ）から最大で１つのタイプの参照信号（ＲＳ）をマッピングするステップであって、各短縮ＴＴＩは、１〜７直交周波数分割多重（ＯＦＤＭ）シンボルを含む、ステップと、短縮ＴＴＩ内で物理チャネルを送信するステップであって、物理チャネルを送信する短縮ＴＴＩのうちの、またはその前の、ＯＦＤＭシンボル範囲内のＲＳが、受信側で物理チャネルを復調するために使用されるステップと、を含む、無線通信方法が提供される。
【０００８】
一般的なまたは具体的な実施形態は、システム、方法、集積回路、コンピュータプログラム、記憶媒体、またはそれらのいかなる組合せとして実施してもよいことに留意するべきである。
【０００９】
開示された実施形態のさらなる利益や利点は、明細書および図面から明らかになる。利益および／または利点は、明細書および図面のさまざまな実施形態および特徴によって個々に得られてもよく、実施形態および特徴すべてがこうした利益および／または利点の１または複数を得るために提供される必要はない。
【００１０】
本開示の前述および他の特徴は、添付図面に関連して、以下の記載および添付の特許請求の範囲によって、より完全に明確となる。これらの図面は本開示に係るいくつかの実施形態を描写しているだけであり、したがって、その範囲を限定するものと考えられるべきではないことを理解して、本開示は、添付図面を使用して、さらに具体的かつ詳細に記載されている。
【図面の簡単な説明】
【００１１】
【図１】ＴＴＩ長短縮のいくつかの例を概略的に示している。
【図２】本開示の一実施形態に係る、無線通信装置のブロック図を概略的に示している。
【図３】本開示の一実施形態に係る、無線通信方法のフローチャートを示している。
【図４】本開示の一実施形態に係る、無線通信方法のフローチャートを示している。
【図５】本開示の一実施形態に係る、例示的な、ダウンリンク参照信号の設計を概略的に示している。
【図６】本開示の一実施形態に係る、ＲＥにおける、ＤＭＲＳポートの占有位置を概略的に示している。
【図７】本開示の一実施形態に係る、ＲＥにおける、ＤＭＲＳポートの占有位置を概略的に示している。
【図８】本開示の一実施形態に係る、例示的な、ダウンリンク参照信号の設計を概略的に示している。
【図９】本開示の一実施形態に係る、例示的な、ダウンリンク参照信号の設計を概略的に示している。
【図１０】本開示の一実施形態に係る、例示的な、アップリンク参照信号の設計を概略的に示している。
【図１１】本開示の一実施形態に係る、例示的な、アップリンク参照信号の設計を概略的に示している。
【図１２】本開示の一実施形態に係る、無線通信方法のフローチャートを示している。
【図１３】本開示の一実施形態に係る、無線通信方法のフローチャートを示している。
【図１４】本開示の一実施形態に係る、例示的な、ダウンリンク参照信号の設計を概略的に示している。
【図１５】本開示の一実施形態に係る、例示的な、ダウンリンク参照信号の設計を概略的に示している。
【図１６】本開示の実施形態に係る、例示的な、ダウンリンク参照信号の設計を概略的に示している。
【発明を実施するための形態】
【００１２】
以下の詳細な説明では、添付図面を参照しており、説明の一部に組み込まれている。図面において、文脈が別途指示しない限り、類似の符号は通常、類似のコンポーネントを識別する。本開示の態様を、多種多様の異なる構成においてアレンジ、置き換え、混合、および設計できることは容易に理解され、そのすべては明示的に予期され、本開示の一部をなす。
【００１３】
レイテンシ短縮は、３ＧＰＰのＲＡＮ１の１テーマであり、主な方法は、伝送レイテンシを短縮することができるように、ＴＴＩ長を例えば１４ＯＦＤＭシンボル（１ｍｓ）から１〜７ＯＦＤＭシンボルに短縮することである。また、旧来のＵＥとの共存が維持されるべきであり、したがって短縮ＴＴＩの設計は依然として旧来のサブフレーム／フレームの範囲内にある。図１は、ＴＴＩ長短縮のいくつかの例を示している。図１において、最上部から最下部へ、第１のプロットは通常のＴＴＩ、すなわちＴＴＩ長が１サブフレームのＴＴＩを示し、第２のプロットは、長さが１スロット（７ＯＦＭＤシンボル）の短縮ＴＴＩを示し、第３のプロットは、長さが４または３ＯＦＤＭシンボル（例えば、サブフレーム内の第１および第３のＴＴＩは４ＯＦＤＭシンボルで、第２および第４のＴＴＩは３ＯＦＤＭシンボルである）の短縮ＴＴＩを示し、第４のプロットは長さが１ＯＦＤＭシンボルの短縮ＴＴＩを示している。
【００１４】
参照信号（ＲＳ）をどのようにして設計するのかは、短縮ＴＴＩに関わる問題点の１つである。シグナリングオーバーヘッド、性能低下およびレイテンシ短縮保証を、ＲＳの設計のために考慮すべきメインファクタとすることができる。
【００１５】
本開示の一実施形態では、少なくとも第１のタイプのＲＳを、サブフレーム内で短縮ＴＴＩがマッピングされているＯＦＤＭシンボル以外の、ＯＦＤＭシンボルにマッピングすることを提案する。言い換えれば、少なくとも１つのタイプのＲＳを、短縮ＴＴＩのＯＦＤＭシンボル内にはないリソースエレメント（ＲＥ：Ｒｅｓｏｕｒｃｅ  Ｅｌｅｍｅｎｔ）にマッピングすることができる。
【００１６】
それに応じて、本開示の一実施形態によれば、無線通信装置２００が提供される。図２は、本開示の一実施形態に係る、無線通信装置２００のブロック図を概略的に示している。無線通信装置２００は、少なくとも第１のタイプのＲＳを、サブフレーム内で短縮ＴＴＩがマッピングされているＯＦＤＭシンボル以外の、ＯＦＤＭシンボルにマッピングするように動作する回路２０１と、物理チャネルを短縮ＴＴＩのうちの１つにおいて送信するように、および少なくとも第１のタイプのＲＳを送信するように、動作する送信部２０２とを備える。
【００１７】
なお、無線通信装置２００は、送信がダウンリンク送信かアップリンク送信かに応じて、ｅＮｏｄｅＢ（ｅＮＢ）またはユーザ機器（ＵＥ：Ｕｓｅｒ  Ｅｑｕｉｐｍｅｎｔ）とすることができる。ダウンリンク送信では、無線通信装置２００は、ｅＮＢなどとすることができ、第１のタイプのＲＳは、ＤＭＲＳ（復調用参照信号：ＤｅＭｏｄｕｌａｔｉｏｎ  Ｒｅｆｅｒｅｎｃｅ  Ｓｉｇｎａｌ）、ＣＳＩ−ＲＳ（チャネル状態情報参照信号：Ｃｈａｎｎｅｌ  Ｓｔａｔｕｓ  Ｉｎｆｏｒｍａｔｉｏｎ−Ｒｅｆｅｒｅｎｃｅ  Ｓｉｇｎａｌ）、ＣＲＳ（セル固有参照信号：Ｃｅｌｌ−Ｓｐｅｃｉｆｉｃ  Ｒｅｆｅｒｅｎｃｅ  Ｓｉｇｎａｌ）など、ダウンリンクに適した任意のＲＳとすることができる。アップリンク送信では、無線通信装置２００は、ＵＥなどとすることができ、第１のタイプのＲＳはＤＭＲＳおよびＳＲＳ（サウンディング参照信号：Ｓｏｕｎｄｉｎｇ  Ｒｅｆｅｒｅｎｃｅ  Ｓｉｇｎａｌ）など、アップリンクに適した任意のＲＳとすることができる。
【００１８】
第１のタイプのＲＳ用のＯＦＤＭシンボルは、サブフレーム内でマッピングされた短縮ＴＴＩがない任意の位置に置くことができる。例えば、各短縮ＴＴＩは、前記短縮ＴＴＩに関連付けられた第１のタイプのＲＳを有するＯＦＤＭシンボルの後に配置することができ、すなわち、第１のタイプのＲＳは、それらの関連付けられた短縮ＴＴＩよりも前に配置される。この例によれば、ＲＳが最初に検出されるので、検出されたＲＳの情報に基づいて、引き続く短縮ＴＴＩを首尾よく復調することができ、その結果、レイテンシ短縮を保証する。
【００１９】
第１のタイプのＲＳ用のＯＦＤＭシンボルは、１または複数のＯＦＤＭシンボルとすることができ、第１のタイプのＲＳ用のＯＦＤＭシンボルが複数存在する場合、それらは互いに隣接させるか、または互いに離間させることができる。互いに離間されているとき、ＲＳを、それらの関連付けられた短縮ＴＴＩのより近くにすることができ、その結果、復調性能を向上させることができる。
【００２０】
一実施形態では、複数の短縮ＴＴＩによって、それらの関連付けられた第１のタイプのＲＳをマッピングするために同じＯＦＤＭシンボルが共有される。この実施形態によれば、あらゆる短縮ＴＴＩが、その関連する第１のタイプのＲＳをマッピングするために別々のＯＦＤＭを必要とするわけではなく、したがって、オーバーヘッドを低減することができる。
【００２１】
また、一実施形態では、第１のタイプのＲＳを送信するためのＯＦＤＭシンボルの位置は、サブフレーム内のＰＤＣＣＨ領域の長さに依存することができる。例えば、ＰＤＣＣＨが、サブフレーム内の最初のＯＦＤＭシンボルを占有する場合、第１のタイプのＲＳ用のＯＦＤＭシンボルは、２番目のＯＦＤＭシンボルから開始することができる。例えば、ＰＤＣＣＨが、サブフレーム内の最初の２つのＯＦＤＭシンボルを占有する場合、第１のタイプのＲＳ用のＯＦＤＭシンボルは、同じサブフレーム内の３番目のＯＦＤＭシンボルから開始することができる。
【００２２】
無線通信装置２００は、上述したように、送信部２０２も備える。送信部２０２は、第１のタイプのＲＳ、および存在する場合には他のＲＳを送信するように、ならびに短縮ＴＴＩのうちの１つにおいて物理チャネルも送信するように動作する。物理チャネルは、短縮ＴＴＩ内で送信するのに適した任意のチャネル、例えば、制御情報用のチャネルまたはデータ用のチャネルとすることができる。
【００２３】
また、図２に示すように、本開示に係る無線通信装置２００は、無線通信装置２００内のそれぞれのユニットの、さまざまなデータを処理し動作を制御する関連プログラムを実行するためのＣＰＵ（中央処理装置：Ｃｅｎｔｒａｌ  Ｐｒｏｃｅｓｓｉｎｇ  Ｕｎｉｔ）２１０、ＣＰＵ２１０によってさまざまな処理および制御をおこなうために必要なさまざまなプログラムを記憶するためのＲＯＭ（リードオンリメモリ：Ｒｅａｄ  Ｏｎｌｙ  Ｍｅｍｏｒｙ）２１３、ＣＰＵ２１０による処理および制御の手順において一時的に生じた中間データを記憶するためのＲＡＭ（ランダムアクセスメモリ：Ｒａｎｄｏｍ  Ａｃｃｅｓｓ  Ｍｅｍｏｒｙ）２１５、および／またはさまざまなプログラム、データなどを記憶するための記憶ユニット２１７を随意に備えてもよい。上記の回路２０１、ならびに送信部２０２、ＣＰＵ２１０、ＲＯＭ２１３、ＲＡＭ２１５および／または記憶ユニット２１７などは、データおよび／またはコマンドバス２２０を介して相互接続されて互いに信号を送信してもよい。
【００２４】
上記のそれぞれのコンポーネントは、本開示の範囲を限定するものではない。本開示の一実施態様によれば、上記の回路２０１および送信部２０２の機能は、ハードウェアによって実施されてもよく、上記のＣＰＵ２１０、ＲＯＭ２１３、ＲＡＭ２１５および／または記憶ユニット２１７は、不要であってもよい。別の方法として、上記の回路２０１および送信部２０２の機能は、上記のＣＰＵ２１０、ＲＯＭ２１３、ＲＡＭ２１５および／または記憶ユニット２１７などと組み合わせて機能ソフトウェアによって実施されてもよい。
【００２５】
上記の無線通信装置２００に対応して、本開示の一実施形態によれば、無線通信装置２００によって実行することができる無線通信方法３００も提供される。図３は、本開示の一実施形態に係る、無線通信方法３００のフローチャートを示している。無線通信方法３００は、少なくとも第１のタイプのＲＳを、サブフレーム内で短縮ＴＴＩがマッピングされているＯＦＤＭシンボル以外の、ＯＦＤＭシンボルにマッピングするステップ３０１と、物理チャネルを短縮ＴＴＩのうちの１つにおいて送信し、および少なくとも第１のタイプのＲＳを送信する、ステップ３０２とを含むことができる。なお、無線通信装置２００についての説明および利益は、方法３００にも適用することができ、ここでは繰り返さない。
【００２６】
それに応じて、受信側において、本開示の実施形態によれば、無線通信方法、および受信側において方法を実行する無線通信装置が提供される。なお、送信側を参照して、受信側の通信装置は、送信がダウンリンク送信であるかそれともアップリンク送信であるかに応じて、ＵＥまたはｅＮＢとすることもできる。
【００２７】
図４は、本開示の一実施形態に係る、受信側の無線通信方法４００のフローチャートを示している。方法４００は、少なくとも第１のタイプのＲＳを受信し、および１〜７ＯＦＤＭシンボルを含む短縮ＴＴＩ内で物理チャネルを受信する、ステップ４０１と、少なくとも第１のタイプのＲＳに基づいて物理チャネルを復調するステップ４０２とを含み、第１のタイプのＲＳは、短縮ＴＴＩがマッピングされていないＯＦＤＭシンボルにマッピングされる。それに応じて、受信側の無線通信装置は、少なくとも第１のタイプのＲＳを受信するように、および１〜７ＯＦＤＭシンボルを含む短縮ＴＴＩ内で物理チャネルを受信するように、動作する受信部と、少なくとも第１のタイプのＲＳに基づいて物理チャネルを復調するように動作する回路とを備えることができ、第１のタイプのＲＳは、短縮ＴＴＩがマッピングされていないＯＦＤＭシンボルにマッピングされる。なお、文脈が別途指示しない限り、送信側についての上記の詳細は、受信側にも適用することができる。具体的には、受信側の無線通信装置の概略構造は、送信部２０２が受信部に置き換えられる以外は、図２と類似するものとすることができる。
【００２８】
以下に、本開示が当業者に容易に理解されるようにするため、上記の実施形態に関連するいくつかの具体的な例を詳細に説明する。
【００２９】
図５は、本開示の一実施形態に係る、例示的な、ダウンリンク参照信号の設計を概略的に示している。この実施形態では、第１のタイプのＲＳはＤＭＲＳであり、短縮ＴＴＩの長さは１ＯＦＤＭシンボルである。図５に示すサブフレームには、順番に＃０から＃１３の１４ＯＦＤＭシンボルが存在しており、ＯＦＤＭシンボル＃０はＰＤＣＣＨ（物理ダウンリンク制御チャネル：Ｐｈｙｓｉｃａｌ  Ｄｏｗｎｌｉｎｋ  Ｃｏｎｔｒｏｌ  Ｃｈａｎｎｅｌ）用に使用され、２つのＣＲＳポートが１６ＲＥを占有し、ＤＭＲＳは、短縮ＴＴＩ用のＯＦＤＭシンボルではないＯＦＤＭシンボル＃１および＃２の中の１６ＲＥ（それらのＲＥは、図５においてＲＥ１〜ＲＥ１６で表されている）にマッピングされ、ＯＦＤＭシンボル＃１および＃２は、ＯＦＤＭシンボル＃１および＃２の後の複数の短縮ＴＴＩによって共有することができる。ここで、ＯＦＤＭシンボル＃１および＃２が複数の短縮ＴＴＩによって共有されているということは、それらのＯＦＤＭシンボル内のそれぞれ別々のＲＥ内に、各短縮ＴＴＩが自身のＤＭＲＳを有していることを意味することができる。例えば、各短縮ＴＴＩは、２つの別々のＲＥ内に、２つの関連するＤＭＲＳを有している。図５に示すように、ＲＥ１およびＲＥ５の中のＤＭＲＳは、ｓＴＴＩ０に関連付けられることができ、ＲＥ２およびＲＥ６内のＤＭＲＳは、ｓＴＴＩ１に関連付けられることができる。別の方法として、ＯＦＤＭシンボル＃１および＃２が複数の短縮ＴＴＩによって共有されているということは、サブフレーム内の一部またはすべての短縮ＴＴＩ用のＤＭＲＳを符号分割多重とすることができることを意味する。例えば、ＲＥ１からＲＥ８は組み合わせて、ｓＴＴＩ０からｓＴＴＩ３用のＤＭＲＳを伝達し、それらのＤＭＲＳは、周波数領域で分離されず、符号領域で分離される。別の方法として、ＯＦＤＭシンボル＃１および＃２が複数のＴＴＩによって共有されているということは、一部またはすべての短縮ＴＴＩが同じＤＭＲＳを使用することができることを意味する。例えば、ｓＴＴＩ０およびｓＴＴＩ１は、ＲＥ１およびＲＥ５にマッピングされた同じＤＭＲＳを使用することができる。この実施形態によれば、平均オーバーヘッドを低減することができ、復調性能を向上させることができ、レイテンシ短縮利得が維持される。
【００３０】
図５の実施形態では、複数の短縮ＴＴＩによって共有されたＯＦＤＭシンボル内のＤＭＲＳを、そのそれぞれが複数の短縮ＴＴＩのうちの１または複数に関連付けられた複数のＤＭＲＳポートを多重化するために使用することができる。例えば、８つのＤＭＲＳポート（ランク８）がサポートされていると仮定すると、それらのＤＭＲＳポートを多重化するために２つの方法が存在するとすることができる。１つ目の方法では、各ＤＭＲＳポートが例えば２つの別々のＲＥを占有する。図６は、一例におけるＲＥ内のＤＭＲＳポートの占有位置を概略的に示している。図６は、図５からの切り出しであり、図５においてＤＭＲＳがマッピングされているＲＥを描写しており、「＃」の後の数字はＤＭＲＳポート番号を表している。図６の例では、ＤＭＲＳポート＃７〜＃１４のそれぞれは２つのＲＥを占有しており、例えば、図５および図６に示すように、ＤＭＲＳポート＃７は、ＲＥ１およびＲＥ５を占有し、ＤＭＲＳポート＃８はＲＥ９およびＲＥ１３を占有するなどである。２つ目の方法では、いくつかのＤＭＲＳポートが、同じ複数のＲＥを合同で占有し、それらいくつかのＤＭＲＳポートは、複数のＲＥ内で符号分割多重化される。図７は、別の例におけるＲＥ内のＤＭＲＳポートの占有位置を概略的に示している。図７の例では、ＤＭＲＳポート＃７、＃９、＃１１および＃１３は、図７の左のＯＦＤＭシンボル内のＲＥ１〜ＲＥ８内で、周波数分割多重化ではなくて符号分割多重化されており、ＤＭＲＳポート＃８、＃１０、＃１２および＃１４は、図７の右のＯＦＤＭシンボル内のＲＥ９〜ＲＥ１６内で符号分割多重化されている。上記の両方法において、各ＤＭＲＳポートは、１または複数の短縮ＴＴＩに関連付けられることができる。
【００３１】
ＵＥが各短縮ＴＴＩ内で物理チャネルを復調するために、ＵＥは、各短縮ＴＴＩのためのＤＭＲＳポートの位置および用法を知る必要がある。本開示において、ＤＭＲＳポートの位置とは、ＤＭＲＳポートがどのＲＥを占有しているのか、およびそれらのＲＥ内でどのようにして多重化されているのかを意味し、ＤＭＲＳポートの用法とは、どの短縮ＴＴＩがどのＤＭＲＳポートに関連付けられているのかを意味する。一例では、ＤＭＲＳポートの位置および／または用法は、ＰＤＣＣＨで送信されたダウンリンクチャネル情報（ＤＣＩ：Ｄｏｗｎｌｉｎｋ  Ｃｈａｎｎｅｌ  Ｉｎｆｏｒｍａｔｉｏｎ）内で示すことができる。この例では、ＤＭＲＳポートの構成は柔軟であり、いくつかのＵＥが同じＤＭＲＳを共有することができる。なお、この例においてＤＣＩによって示されていない位置または用法は、仕様によって決定されるかまたは媒体アクセス制御（ＭＡＣ：Ｍｅｄｉｕｍ  Ａｃｃｅｓｓ  Ｃｏｎｔｒｏｌ）層もしくは無線リソース制御（ＲＲＣ：Ｒａｄｉｏ  Ｒｅｓｏｕｒｃｅ  Ｃｏｎｔｒｏｌ）層によって構成することができる。別の例では、ＤＭＲＳポートの位置および用法は、仕様によって決定されるかまたはＭＡＣ層もしくはＲＲＣ層によって構成することができる。この実施形態では、ＤＣＩは、ＰＤＣＣＨ内で、または短縮ＴＴＩ内で送信することができ、オーバーヘッドが低減される。この例によれば、ＤＭＲＳポートと復調される短縮ＴＴＩとの間にマッピングが存在するべきである。例えば、ポート＃７はｓＴＴＩ０に関連付けられ、ポート＃８はｓＴＴＩ１に関連付けられる、などである。さらに別の例では、ＤＭＲＳポートの位置は、仕様によって決定されるかまたはＭＡＣ層もしくはＲＲＣ層によって構成することができ、ＤＣＩは、その関連付けられたＤＭＲＳポートが仕様によって決定されるかまたはＭＡＣ層もしくはＲＲＣ層によって構成される、短縮ＴＴＩ内で送信することができ、ＤＣＩに関連付けられているＤＭＲＳポート以外のＤＭＲＳポートの用法は、ＤＣＩ内で示される。この実施形態では、ＤＣＩの短縮ＴＴＩ用のＤＭＲＳポートだけが前もって決定または構成され、別のＤＭＲＳポートの用法は、ＤＣＩ内で示すことができる。その結果、柔軟性とオーバーヘッドとのバランスをとっている。
【００３２】
別の実施形態では、ＣＳＩ−ＲＳである第２のタイプのＲＳを、ＤＭＲＳと同じＯＦＤＭシンボルにマッピングすることができる。図８は、本開示の実施形態に係る、例示的な、ダウンリンク参照信号の設計を概略的に示している。図８に示す例は、ＣＳＩ−ＲＳが考慮されてＤＭＲＳと同じＯＦＤＭシンボルにマッピングされていることを除いて、図５に示す例と類似している。このような方法で、ＣＳＩ−ＲＳのオーバーヘッドが省かれる。図８に代わる方法として、短縮ＴＴＩ用のＣＳＩ−ＲＳは、サブフレーム内の最後の１つまたは２つのＯＦＤＭシンボルに置くこともでき、これによって短縮ＴＴＩ内での通常のデータ伝送への影響を回避する。
【００３３】
図５および図８に示す実施形態では、ＤＭＲＳ用の２つのＯＦＤＭシンボルが互いに隣接している。別の実施形態では、ＤＭＲＳ用のＯＦＤＭシンボルは、ＤＭＲＳが、復調される短縮ＴＴＩのより近くになるように、互いに離間されている。図９は、本開示のこの実施形態に係る、例示的な、ダウンリンク参照信号の設計を概略的に示している。この実施形態では、同様に、短縮ＴＴＩの長さは１ＯＦＤＭシンボルと仮定されているが、ＤＭＲＳはＯＦＤＭシンボル＃１および＃８にそれぞれマッピングされている。ＯＦＤＭシンボル＃１内のＤＭＲＳは、ＯＦＤＭシンボル＃１に続きＯＦＤＭシンボル＃８より前の短縮ＴＴＩに関連付けることができ、ＯＦＤＭシンボル＃８内のＤＭＲＳは、ＯＦＤＭシンボル＃８に続く短縮ＴＴＩに関連付けることができる。したがって、復調される短縮ＴＴＩは、それらの関連付けられたＤＭＲＳのより近くにすることができるため、平均オーバーヘッドの低減およびレイテンシ短縮利得の保証に加えて、復調性能を向上させることができる。また、実施形態では、複数の短縮ＴＴＩによって共有されたＯＦＤＭシンボル＃１または＃８内のＤＭＲＳは、複数のＤＭＲＳポートを多重化するために使用することもできる。例えば、ランク４がサポートされていると仮定すると、ＤＭＲＳポート＃７、＃９、＃１１および＃１３はＯＦＤＭシンボル＃１内に置かれ、ＯＦＤＭシンボル＃２〜＃７内の短縮ＴＴＩ用に使用され、ＤＭＲＳポート＃８、”＃１０、＃１２および＃１４はＯＦＤＭシンボル＃８内に置かれ、ＯＦＤＭシンボル＃９〜＃１３内の短縮ＴＴＩ用に使用される。
【００３４】
上記では、ダウンリンクに関連するいくつかの実施形態を説明しており、以下では、アップリンクに関連する実施形態を説明する。なお、文脈が別途指示しない限り、ダウンリンクについて説明した詳細は、アップリンクにも適用し得、逆もまた同様である。
【００３５】
図１０は、本開示の一実施形態に係る、例示的な、アップリンク参照信号の設計を概略的に示している。この実施形態では、第１のタイプのＲＳ（この実施形態ではＤＭＲＳ）は、サブフレームの始まりのＯＦＤＭシンボル（＃０）に常にマッピングされている。したがって、異なるＵＥがＤＭＲＳ用に同じＯＦＤＭシンボルを共有することができる。例えば、図１０に示すように、第１のＵＥはＯＦＤＭシンボル＃０内でＤＭＲＳを、そしてＯＦＤＭシンボル＃３内でデータを送信することができ、第２のＵＥはＯＦＤＭシンボル＃０内でＤＭＲＳを、そしてＯＦＤＭシンボル＃６内でデータを送信することができる。異なるＵＥ用のＤＭＲＳは、シーケンスの性質に基づいて直交とすることができる。このような方法で、同じＯＦＤＭシンボル内においてデータとＲＳとの間に多重化がないため、ＰＡＰＲ（ピーク電力対平均電力比：Ｐｅａｋ  ｔｏ  Ａｖｅｒａｇｅ  Ｐｏｗｅｒ  Ｒａｔｉｏ）は小さい。また、この実施形態は、レイテンシ短縮利得およびＲＳオーバーヘッド低減も維持する。別の方法として、第１のタイプのＲＳ（この実施形態ではＤＭＲＳ）は、上記の利益を維持しつつ、サブフレームの他の任意のＯＦＤＭシンボルに常にマッピングすることができる。例えば、ＤＭＲＳは、復調性能をさらに向上させることができるように、中央のＯＦＤＭシンボル（例えばシンボル＃６または＃７）に常にマッピングすることができる。
【００３６】
別の方法として、アップリンクについて、各短縮ＴＴＩに関連付けられた第１のタイプのＲＳは、前記短縮ＴＴＩに隣接するＯＦＤＭシンボルにマッピングすることができる。図１１は、本開示の一実施形態に係る、別の例示的な、アップリンク参照信号の設計を概略的に示している。この実施形態では、短縮ＴＴＩが４ＯＦＤＭシンボルを有していると仮定している。図１１から、ＤＭＲＳを有するＯＦＤＭシンボルは、ＯＦＤＭシンボル＃０〜＃３内の短縮ＴＴＩ直後にあるＯＦＤＭシンボル＃４であることが分かる。このような方法で、ＤＭＲＳが、復調される短縮ＴＴＩにより近いため、復調性能をさらに向上させることが可能である。明らかに、ＤＭＲＳ用のＯＦＤＭシンボルは、その関連付けられた短縮ＴＴＩの直前に置くこともできる。
【００３７】
本開示の別の実施形態では、サブフレーム内の各ＴＴＩ内でＣＲＳおよびＤＭＲＳから最大で１つのタイプのＲＳ、ならびに物理チャネルを送信する短縮ＴＴＩのうちの、またはその前の、ＯＦＤＭシンボル範囲内のＲＳが、受信側で物理チャネルを復調するために使用されることが提案される。この実施形態では、短縮ＴＴＩがＣＲＳを含む場合、ＤＭＲＳを含まず、短縮ＴＴＩは、その中のＣＲＳによって復調することができる。短縮ＴＴＩがＤＭＲＳを含む場合、ＣＲＳを含まず、短縮ＴＴＩは、その中のＤＭＲＳによって復調することができる。短縮ＴＴＩがＤＭＲＳおよびＣＲＳのいずれも含まない場合、短縮ＴＴＩは、短縮ＴＴＩの前の他のＯＦＤＭシンボル内のＲＳ（ＤＭＲＳまたはＣＲＳ）によって復調することができる。また、サブフレーム内のいくつかのＣＲＳおよびいくつかのＤＭＲＳを一緒に使用して短縮ＴＴＩを復調することができる。
【００３８】
それに応じて、本開示の一実施形態によれば、サブフレーム内の各短縮ＴＴＩ内でＣＲＳおよびＤＭＲＳから最大で１つのタイプのＲＳをマッピングするように動作する回路と、短縮ＴＴＩ内で物理チャネルを送信するように動作する送信部であって、物理チャネルを送信する短縮ＴＴＩのうちの、またはその前の、ＯＦＤＭシンボル範囲内のＲＳが、受信側で物理チャネルを復調するために使用される、送信部とを備える無線通信装置が提供される。この実施形態の無線通信装置の構造は、図２に示す構造と類似しており、ここでは繰り返さない。なお、この実施形態における送信は通常、ダウンリンク送信であり、無線通信装置は、ｅＮＢなどとすることができる。図１２は、本開示の一実施形態に係る、上記無線通信装置によって実行される無線通信方法１２００のフローチャートを示している。方法１２００は、サブフレーム内の各短縮ＴＴＩ内でＣＲＳおよびＤＭＲＳから最大で１つのタイプのＲＳをマッピングするステップ１２０１と、短縮ＴＴＩ内で物理チャネルを送信するステップであって、物理チャネルを送信する短縮ＴＴＩのうちの、またはその前の、ＯＦＤＭシンボル範囲内のＲＳが、受信側で物理チャネルを復調するために使用される、ステップ１２０２とを含むことができる。
【００３９】
受信側において、本開示の実施形態によれば、無線通信方法、および受信側で方法を実行する無線通信装置が提供される。なお、送信側を参照して、受信側の通信装置は、ＵＥなどとすることができる。図１３は、本開示の一実施形態に係る、受信側の無線通信方法１３００のフローチャートを示している。方法１３００は、短縮ＴＴＩ内で物理チャネルを受信するステップ１３０１と、短縮ＴＴＩのうちの、またはその前の、ＯＦＤＭシンボル範囲内のＲＳに基づいて物理チャネルを復調するステップ１３０２とを含み、ＣＲＳおよびＤＭＲＳから最大で１つのタイプのＲＳがサブフレーム内の各短縮ＴＴＩ内でマッピングされ、各短縮ＴＴＩは、１〜７ＯＦＤＭシンボルを含む。それに応じて、受信側の無線通信装置は、短縮ＴＴＩ内で物理チャネルを受信するように動作する受信部と、短縮ＴＴＩのうちの、またはその前の、ＯＦＤＭシンボル範囲内のＲＳに基づいて物理チャネルを復調するように動作する回路とを備えることができ、ＣＲＳおよびＤＭＲＳから最大で１つのタイプのＲＳがサブフレーム内の各短縮ＴＴＩ内でマッピングされ、各短縮ＴＴＩは、１〜７ＯＦＤＭシンボルを含む。なお、文脈が別途指示しない限り、送信側についての上記の詳細は、受信側にも適用することができる。具体的には、受信側の無線通信装置の概略構造は、送信部２０２が受信部に置き換えられる以外は、図２と類似するものとすることができる。
【００４０】
以下に、本開示が当業者に容易に理解されるようにするため、上記の実施形態に関連するいくつかの具体的な例を詳細に説明する。
【００４１】
一実施形態では、ＣＲＳまたはＤＭＲＳのいずれかが各短縮ＴＴＩ内でマッピングされ、物理チャネルを送信する短縮ＴＴＩ内のＣＲＳまたはＤＭＲＳは、物理チャネルを復調するために使用される。図１４は、本開示の実施形態に係る、例示的な、ダウンリンク参照信号の設計を概略的に示している。この実施形態では、短縮ＴＴＩの長さは１ＯＦＤＭシンボルであり、旧来のＣＲＳが使用されている。旧来のＣＲＳを有している短縮ＴＴＩはＤＭＲＳを含まず、旧来のＣＲＳを有していない短縮ＴＴＩは、ＤＭＲＳを含んでいる。このケースでは、異なる短縮ＴＴＩは、復調のために異なるタイプのＲＳを使用している。ＣＲＳだけを含む短縮ＴＴＩは、復調のためにＣＲＳを使用することになり、ＤＭＲＳだけを含む短縮ＴＴＩは、復調のためにＤＭＲＳを使用することになる。異なる短縮ＴＴＩは、復調のために異なる送信スキームを使用し得る。こうしたアプローチの利益は、一部のＯＦＤＭシンボルにおいてＤＭＲＳが送信されないため、ＲＳオーバーヘッドをさらに低減することができることである。
【００４２】
図１５は、本開示の実施形態に係る、別の例示的な、ダウンリンク参照信号の設計を概略的に示している。図１５と図１４との間の違いは、図１５では短縮ＴＴＩの長さが２ＯＦＤＭシンボルであるため、ＣＲＳを有してない短縮ＴＴＩの、あらゆるＯＦＤＭシンボルにおいてＤＭＲＳが必ずしも送信されるとは限らないということである。明らかに、ＤＭＲＳは、ＣＲＳを有していない短縮ＴＴＩの、あらゆるＯＦＤＭシンボルにおいて送信することもできる。図１４に類似して、ＲＳオーバーヘッドを低減することができる。
【００４３】
別の実施形態では、ＣＲＳが一部の短縮ＴＴＩにマッピングされ、その他の短縮ＴＴＩにはＣＲＳもＤＭＲＳもマッピングされず、１つのＯＦＤＭシンボル内のＣＲＳが、前記１つのＯＦＤＭシンボルよりも前ではない複数のＯＦＤＭシンボルを復調するために使用されるか、または各短縮ＴＴＩよりも後ではないすべてのＣＲＳが、前記短縮ＴＴＩを復調するために使用される。図１６は、本開示の実施形態に係る、例示的な、ダウンリンク参照信号の設計を概略的に示している。この実施形態では、短縮ＴＴＩの長さは１ＯＦＤＭシンボルであり、旧来のＣＲＳが使用されている。ＤＭＲＳは送信されず、ＲＳを有していない短縮ＴＴＩを、前記短縮ＴＴＩより前のもっとも近い１つのＯＦＤＭシンボル内のＣＲＳによって復調することができるか、または前記短縮ＴＴＩよりも後ではないすべてのＣＲＳによって復調することができることが分かる。このようにして、ＲＳオーバーヘッドを大幅に低減することができ、レイテンシ短縮利得を保証することができる。
【００４４】
本開示は、ソフトウェア、ハードウェア、またはハードウェアと連携したソフトウェアによって実現することができる。上記の各実施形態の記載で使用されている各機能ブロックは、集積回路としてＬＳＩによって実現することができ、各実施形態に記載の各プロセスはＬＳＩによって制御してもよい。それらは、個々にチップとして形成してもよく、または一部またはすべての機能ブロックを含むように１つのチップを形成してもよい。それらは、それらに結合されたデータ入出力を含んでもよい。ここで、ＬＳＩは、集積度の違いにより、ＩＣ、システムＬＳＩ、スーパーＬＳＩ、またはウルトラＬＳＩと称され得る。ただし、集積回路を実装する技術はＬＳＩに限定されず、専用回路または汎用プロセッサを使用して実現されてもよい。また、ＬＳＩの製造後にプログラムすることができるＦＰＧＡ（フィールドプログラマブルゲートアレイ：Ｆｉｅｌｄ  Ｐｒｏｇｒａｍｍａｂｌｅ  Ｇａｔｅ  Ａｒｒａｙ）、またはＬＳＩ内に配置された回路セルの接続および設定を再構成することができる再構成可能プロセッサを使用してもよい。
【００４５】
なお、本開示は、当業者によって、本明細書で提示された記載および既知の技術に基づいて、本開示の内容および範囲から逸脱することなく、種々変更または変形されることを意図しており、かかる変更および応用は、保護を請求する範囲に含まれる。さらに、本開示の内容から逸脱しない範囲において、上記の実施形態の構成要素を任意に組み合わせてもよい。
【００４６】
本開示の実施形態によれば、以下の主題を少なくとも提供することができる。
【００４７】
（１）．少なくとも第１のタイプの参照信号（ＲＳ）を、サブフレーム内で短縮送信時間間隔（ＴＴＩ）がマッピングされている直交周波数分割多重（ＯＦＤＭ）シンボル以外の、ＯＦＤＭシンボルにマッピングするように動作する回路であって、短縮ＴＴＩのそれぞれは、１〜７ＯＦＤＭシンボルを含む、回路と、
物理チャネルを短縮ＴＴＩのうちの１つにおいて送信するように、および少なくとも第１のタイプのＲＳを送信するように、動作する送信部と
を備える、無線通信装置。
【００４８】
（２）．複数の短縮ＴＴＩによって、それらの関連付けられた第１のタイプのＲＳをマッピングするために同じＯＦＤＭシンボルが共有される、
（１）に記載の無線通信装置。
【００４９】
（３）．各短縮ＴＴＩは、前記短縮ＴＴＩに関連付けられた第１のタイプのＲＳを有しているＯＦＤＭシンボルの後に置かれる、
（１）または（２）に記載の無線通信装置。
【００５０】
（４）．第１のタイプのＲＳをマッピングするためにサブフレーム内の２つ以上ＯＦＤＭシンボルを使用し、
２つ以上のＯＦＤＭシンボルは、互いに離間されている、
（１）から（３）のいずれか一つに記載の無線通信装置。
【００５１】
（５）．第１のタイプのＲＳを送信するためのＯＦＤＭシンボルの位置は、サブフレーム内の物理ダウンリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌ）領域の長さに依存する、（１）から（４）のいずれか一つに記載の無線通信装置。
【００５２】
（６）．第１のタイプのＲＳは、復調用参照信号（ＤＭＲＳ）であり、
複数の短縮ＴＴＩによって共有されたＯＦＤＭシンボル内のＤＭＲＳは、そのそれぞれが複数の短縮ＴＴＩの１または複数に関連付けられている、複数のＤＭＲＳポートを多重化するために使用される、
（２）から（５）のいずれか一つに記載の無線通信装置。
【００５３】
（７）．ＤＭＲＳポートの位置および／または用法は、物理ダウンリンク制御チャネル（ＰＤＣＣＨ）内で送信されるダウンリンクチャネル情報（ＤＣＩ）内で示される、
（６）に記載の無線通信装置。
【００５４】
（８）．ＤＭＲＳポートの位置および用法は、仕様によって決定されるかまたは媒体アクセス制御（ＭＡＣ）層もしくは無線リソース制御（ＲＲＣ）層によって構成される、
（６）に記載の無線通信装置。
【００５５】
（９）．ＤＭＲＳポートの位置は、仕様によって決定されるかまたはＭＡＣ層もしくはＲＲＣ層によって構成され、
ＤＣＩは、その関連付けられたＤＭＲＳポートが仕様によって決定されるかまたはＭＡＣ層もしくはＲＲＣ層によって構成される、短縮ＴＴＩ内で送信され、
ＤＣＩに関連付けられているＤＭＲＳポート以外のＤＭＲＳポートの用法は、ＤＣＩ内で示される、
（６）に記載の無線通信装置。
【００５６】
（１０）．第１のタイプのＲＳは、復調用参照信号（ＤＭＲＳ）であり、
チャネル状態情報参照信号（ＣＳＩ−ＲＳ：Ｃｈａｎｎｅｌ  Ｓｔａｔｕｓ  Ｉｎｆｏｒｍａｔｉｏｎ−Ｒｅｆｅｒｅｎｃｅ  Ｓｉｇｎａｌ）である第２のタイプのＲＳは、ＤＭＲＳと同じＯＦＤＭシンボルにマッピングされる、
（１）から（９）のいずれか一つに記載の無線通信装置。
【００５７】
（１１）．送信部によって実行される送信は、アップリンク送信であり、
第１のタイプのＲＳは、サブフレームの始まりのＯＦＤＭシンボルに常にマッピングされる、
（１）から（４）のいずれか一つに記載の無線通信装置。
【００５８】
（１２）．送信部によって実行される送信は、アップリンク送信であり、
各短縮ＴＴＩに関連付けられた第１のタイプのＲＳは、前記短縮ＴＴＩに隣接するＯＦＤＭシンボルにマッピングされる、
（１）から（４）のいずれか一つに記載の無線通信装置。
【００５９】
（１３）．少なくとも第１のタイプの参照信号（ＲＳ）を、サブフレーム内で短縮送信時間間隔（ＴＴＩ）がマッピングされている直交周波数分割多重（ＯＦＤＭ）シンボル以外の、ＯＦＤＭシンボルにマッピングするステップであって、短縮ＴＴＩのそれぞれは、１〜７ＯＦＤＭシンボルを含む、ステップと、
物理チャネルを短縮ＴＴＩのうちの１つにおいて送信し、および少なくとも第１のタイプのＲＳを送信する、ステップと
を含む、無線通信方法。
【００６０】
（１４）．複数の短縮ＴＴＩによって、それらの関連付けられた第１のタイプのＲＳをマッピングするために同じＯＦＤＭシンボルが共有される、
（１３）に記載の無線通信方法。
【００６１】
（１５）．各短縮ＴＴＩは、前記短縮ＴＴＩに関連付けられた第１のタイプのＲＳを有しているＯＦＤＭシンボルの後に置かれる、
（１３）または（１４）に記載の無線通信方法。
【００６２】
（１６）．第１のタイプのＲＳをマッピングするためにサブフレーム内の２つ以上ＯＦＤＭシンボルを使用し、
２つ以上のＯＦＤＭシンボルは、互いに離間されている、
（１３）から（１５）のいずれか一つに記載の無線通信方法。
【００６３】
（１７）．第１のタイプのＲＳを送信するためのＯＦＤＭシンボルの位置は、サブフレーム内の物理ダウンリンク制御チャネル（ＰＤＣＣＨ）領域の長さに依存する、（１３）から（１６）のいずれか一つに記載の無線通信方法。
【００６４】
（１８）．第１のタイプのＲＳは、復調用参照信号（ＤＭＲＳ）であり、
複数の短縮ＴＴＩによって共有されたＯＦＤＭシンボル内のＤＭＲＳは、そのそれぞれが複数の短縮ＴＴＩの１または複数に関連付けられている、複数のＤＭＲＳポートを多重化するために使用される、
（１４）から（１７）のいずれか一つに記載の無線通信方法。
【００６５】
（１９）．ＤＭＲＳポートの位置および／または用法は、物理ダウンリンク制御チャネル（ＰＤＣＣＨ）内で送信されるダウンリンクチャネル情報（ＤＣＩ）内で示される、
（１８）に記載の無線通信方法。
【００６６】
（２０）．ＤＭＲＳポートの位置および用法は、仕様によって決定されるかまたは媒体アクセス制御（ＭＡＣ）層もしくは無線リソース制御（ＲＲＣ）層によって構成される、
（１８）に記載の無線通信方法。
【００６７】
（２１）．ＤＭＲＳポートの位置は、仕様によって決定されるかまたはＭＡＣ層もしくはＲＲＣ層によって構成され、
ＤＣＩは、その関連付けられたＤＭＲＳポートが仕様によって決定されるかまたはＭＡＣ層もしくはＲＲＣ層によって構成される、短縮ＴＴＩ内で送信され、
ＤＣＩに関連付けられているＤＭＲＳポート以外のＤＭＲＳポートの用法は、ＤＣＩ内で示される、
（１８）に記載の無線通信方法。
【００６８】
（２２）．第１のタイプのＲＳは、復調用参照信号（ＤＭＲＳ）であり、
チャネル状態情報参照信号（ＣＳＩ−ＲＳ）である第２のタイプのＲＳは、ＤＭＲＳと同じＯＦＤＭシンボルにマッピングされる、
（１３）から（２１）のいずれか一つに記載の無線通信方法。
【００６９】
（２３）．送信は、アップリンク送信であり、
第１のタイプのＲＳは、サブフレームの始まりのＯＦＤＭシンボルに常にマッピングされる、
（１３）から（１６）のいずれか一つに記載の無線通信方法。
【００７０】
（２４）．送信は、アップリンク送信であり、
各短縮ＴＴＩに関連付けられた第１のタイプのＲＳは、前記短縮ＴＴＩに隣接するＯＦＤＭシンボルにマッピングされる、
（１３）から（１６）のいずれか一つに記載の無線通信方法。
【００７１】
（２５）．少なくとも第１のタイプの参照信号（ＲＳ）を受信するように、および１〜７直交周波数分割多重（ＯＦＤＭ）シンボルを含む短縮送信時間間隔（ＴＴＩ）において物理チャネルを受信するように、動作する受信部と、
少なくとも第１のタイプのＲＳに基づいて物理チャネルを復調するように動作する回路と
を備える無線通信装置であって、
第１のタイプのＲＳは、短縮ＴＴＩがマッピングされていないＯＦＤＭシンボルにマッピングされる、無線通信装置。
【００７２】
（２６）．複数の短縮ＴＴＩによって、それらの関連付けられた第１のタイプのＲＳをマッピングするために同じＯＦＤＭシンボルが共有される、
（２５）に記載の無線通信装置。
【００７３】
（２７）．各短縮ＴＴＩは、前記短縮ＴＴＩに関連付けられた第１のタイプのＲＳを有しているＯＦＤＭシンボルの後に置かれる、
（２５）または（２６）に記載の無線通信装置。
【００７４】
（２８）．第１のタイプのＲＳをマッピングするためにサブフレーム内の２つ以上ＯＦＤＭシンボルを使用し、
２つ以上のＯＦＤＭシンボルは、互いに離間されている、
（２５）から（２７）のいずれか一つに記載の無線通信装置。
【００７５】
（２９）．第１のタイプのＲＳをマッピングするためのＯＦＤＭシンボルの位置は、サブフレーム内の物理ダウンリンク制御チャネル（ＰＤＣＣＨ）領域の長さに依存する、（２５）から（２８）のいずれか一つに記載の無線通信装置。
【００７６】
（３０）．第１のタイプのＲＳは、復調用参照信号（ＤＭＲＳ）であり、
複数の短縮ＴＴＩによって共有されたＯＦＤＭシンボル内のＤＭＲＳは、そのそれぞれが複数の短縮ＴＴＩの１または複数に関連付けられている、複数のＤＭＲＳポートを多重化するために使用される、
（２６）から（２９）のいずれか一つに記載の無線通信装置。
【００７７】
（３１）．ＤＭＲＳポートの位置および／または用法は、物理ダウンリンク制御チャネル（ＰＤＣＣＨ）内で送信されるダウンリンクチャネル情報（ＤＣＩ）内で示される、
（３０）に記載の無線通信装置。
【００７８】
（３２）．ＤＭＲＳポートの位置および用法は、仕様によって決定されるかまたは媒体アクセス制御（ＭＡＣ）層もしくは無線リソース制御（ＲＲＣ）層によって構成される、
（３０）に記載の無線通信装置。
【００７９】
（３３）．ＤＭＲＳポートの位置は、仕様によって決定されるかまたはＭＡＣ層もしくはＲＲＣ層によって構成され、
ＤＣＩは、その関連付けられたＤＭＲＳポートが仕様によって決定されるかまたはＭＡＣ層もしくはＲＲＣ層によって構成される、短縮ＴＴＩ内で送信され、
ＤＣＩに関連付けられているＤＭＲＳポート以外のＤＭＲＳポートの用法は、ＤＣＩ内で示される、
（３０）に記載の無線通信装置。
【００８０】
（３４）．第１のタイプのＲＳは、復調用参照信号（ＤＭＲＳ）であり、
チャネル状態情報参照信号（ＣＳＩ−ＲＳ）である第２のタイプのＲＳは、ＤＭＲＳと同じＯＦＤＭシンボルにマッピングされる、
（２５）から（３３）のいずれか一つに記載の無線通信装置。
【００８１】
（３５）．受信は、アップリンクにおいてであり、
第１のタイプのＲＳは、サブフレームの始まりのＯＦＤＭシンボルに常にマッピングされる、
（２５）から（２８）のいずれか一つに記載の無線通信装置。
【００８２】
（３６）．受信は、アップリンクにおいてであり、
各短縮ＴＴＩに関連付けられた第１のタイプのＲＳは、前記短縮ＴＴＩに隣接するＯＦＤＭシンボルにマッピングされる、
（２５）から（２８）のいずれか一つに記載の無線通信装置。
【００８３】
（３７）．少なくとも第１のタイプの参照信号（ＲＳ）を受信し、および１〜７直交周波数分割多重（ＯＦＤＭ）シンボルを含む短縮送信時間間隔（ＴＴＩ）において物理チャネルを受信する、ステップと、
少なくとも第１のタイプのＲＳに基づいて物理チャネルを復調するステップと
を含む無線通信方法であって、
第１のタイプのＲＳは、短縮ＴＴＩがマッピングされていないＯＦＤＭシンボルにマッピングされる、無線通信方法。
【００８４】
（３８）．複数の短縮ＴＴＩによって、それらの関連付けられた第１のタイプのＲＳをマッピングするために同じＯＦＤＭシンボルが共有される、
（３７）に記載の無線通信方法。
【００８５】
（３９）．各短縮ＴＴＩは、前記短縮ＴＴＩに関連付けられた第１のタイプのＲＳを有しているＯＦＤＭシンボルの後に置かれる、
（３７）または（３８）に記載の無線通信方法。
【００８６】
（４０）．第１のタイプのＲＳをマッピングするためにサブフレーム内の２つ以上ＯＦＤＭシンボルを使用し、
２つ以上のＯＦＤＭシンボルは、互いに離間されている、
（３７）から（３９）のいずれか一つに記載の無線通信方法。
【００８７】
（４１）．第１のタイプのＲＳをマッピングするためのＯＦＤＭシンボルの位置は、サブフレーム内の物理ダウンリンク制御チャネル（ＰＤＣＣＨ）領域の長さに依存する、（３７）から（４０）のいずれか一つに記載の無線通信方法。
【００８８】
（４２）．第１のタイプのＲＳは、復調用参照信号（ＤＭＲＳ）であり、
複数の短縮ＴＴＩによって共有されたＯＦＤＭシンボル内のＤＭＲＳは、そのそれぞれが複数の短縮ＴＴＩの１または複数に関連付けられている、複数のＤＭＲＳポートを多重化するために使用される、
（３７）から（４１）のいずれか一つに記載の無線通信方法。
【００８９】
（４３）．ＤＭＲＳポートの位置および／または用法は、物理ダウンリンク制御チャネル（ＰＤＣＣＨ）内で送信されるダウンリンクチャネル情報（ＤＣＩ）内で示される、
（４２）に記載の無線通信方法。
【００９０】
（４４）．ＤＭＲＳポートの位置および用法は、仕様によって決定されるかまたは媒体アクセス制御（ＭＡＣ）層もしくは無線リソース制御（ＲＲＣ）層によって構成される、
（４２）に記載の無線通信方法。
【００９１】
（４５）．ＤＭＲＳポートの位置は、仕様によって決定されるかまたはＭＡＣ層もしくはＲＲＣ層によって構成され、
ＤＣＩは、その関連付けられたＤＭＲＳポートが仕様によって決定されるかまたはＭＡＣ層もしくはＲＲＣ層によって構成される、短縮ＴＴＩ内で送信され、
ＤＣＩに関連付けられているＤＭＲＳポート以外のＤＭＲＳポートの用法は、ＤＣＩ内で示される、
（４２）に記載の無線通信方法。
【００９２】
（４６）．第１のタイプのＲＳは、復調用参照信号（ＤＭＲＳ）であり、
チャネル状態情報参照信号（ＣＳＩ−ＲＳ）である第２のタイプのＲＳは、ＤＭＲＳと同じＯＦＤＭシンボルにマッピングされる、
（３７）から（４５）のいずれか一つに記載の無線通信方法。
【００９３】
（４７）．受信は、アップリンクにおいてであり、
第１のタイプのＲＳは、サブフレームの始まりのＯＦＤＭシンボルに常にマッピングされる、
（３７）から（４０）のいずれか一つに記載の無線通信方法。
【００９４】
（４８）．受信は、アップリンクにおいてであり、
各短縮ＴＴＩに関連付けられた第１のタイプのＲＳは、前記短縮ＴＴＩに隣接するＯＦＤＭシンボルにマッピングされる、
（３７）から（４０）のいずれか一つに記載の無線通信方法。
【００９５】
（４９）．サブフレーム内の各短縮送信時間間隔（ＴＴＩ）内でセル固有参照信号（ＣＲＳ：Ｃｅｌｌ−Ｓｐｅｃｉｆｉｃ  Ｒｅｆｅｒｅｎｃｅ  Ｓｉｇｎａｌ）および復調用参照信号（ＤＭＲＳ）から最大で１つのタイプの参照信号（ＲＳ）をマッピングするように動作する回路であって、各短縮ＴＴＩは、１〜７直交周波数分割多重（ＯＦＤＭ）シンボルを含む、回路と、
短縮ＴＴＩ内で物理チャネルを送信するように動作する送信部であって、物理チャネルを送信する短縮ＴＴＩのうちの、またはその前の、ＯＦＤＭシンボル範囲内のＲＳが、受信側で物理チャネルを復調するために使用される、送信部と
を備える、無線通信装置。
【００９６】
（５０）．ＣＲＳまたはＤＭＲＳのいずれかが各短縮ＴＴＩ内でマッピングされ、
物理チャネルを送信する短縮ＴＴＩ内のＣＲＳまたはＤＭＲＳは、物理チャネルを復調するために使用される、
（４９）に記載の無線通信装置。
【００９７】
（５１）．ＣＲＳが一部の短縮ＴＴＩにマッピングされ、
その他の短縮ＴＴＩにはＣＲＳもＤＭＲＳもマッピングされず、
１つのＯＦＤＭシンボル内のＣＲＳが、前記１つのＯＦＤＭシンボルよりも前ではない複数のＯＦＤＭシンボルを復調するために使用されるか、または各短縮ＴＴＩよりも後ではないすべてのＣＲＳが、前記短縮ＴＴＩを復調するために使用される、
（４９）に記載の無線通信装置。
【００９８】
（５２）．サブフレーム内の各短縮送信時間間隔（ＴＴＩ）内でセル固有参照信号（ＣＲＳ）および復調用参照信号（ＤＭＲＳ）から最大で１つのタイプのＲＳをマッピングするステップであって、各短縮ＴＴＩは、１〜７直交周波数分割多重（ＯＦＤＭ）シンボルを含む、ステップと、
短縮ＴＴＩ内で物理チャネルを送信するステップであって、物理チャネルを送信する短縮ＴＴＩのうちの、またはその前の、ＯＦＤＭシンボル範囲内のＲＳが、受信側で物理チャネルを復調するために使用される、ステップと
を含む、無線通信方法。
【００９９】
（５３）．ＣＲＳまたはＤＭＲＳのいずれかが各短縮ＴＴＩ内でマッピングされ、
物理チャネルを送信する短縮ＴＴＩ内のＣＲＳまたはＤＭＲＳは、物理チャネルを復調するために使用される、
（５２）に記載の無線通信方法。
【０１００】
（５４）．ＣＲＳが一部の短縮ＴＴＩにマッピングされ、
その他の短縮ＴＴＩにはＣＲＳもＤＭＲＳもマッピングされず、
１つのＯＦＤＭシンボル内のＣＲＳが、前記１つのＯＦＤＭシンボルよりも前ではない複数のＯＦＤＭシンボルを復調するために使用されるか、または各短縮ＴＴＩよりも後ではないすべてのＣＲＳが、前記短縮ＴＴＩを復調するために使用される、
（５２）に記載の無線通信方法。
【０１０１】
（５５）．短縮送信時間間隔（ＴＴＩ）において物理チャネルを受信するように動作する受信部と、
短縮ＴＴＩのうちの、またはその前の、直交周波数分割多重（ＯＦＤＭ）シンボル範囲内の参照信号（ＲＳ）に基づいて物理チャネルを復調するように動作する回路と
を備える無線通信装置であって、
セル固有参照信号（ＣＲＳ）および復調用参照信号（ＤＭＲＳ）から最大で１つのタイプのＲＳがサブフレーム内の各短縮ＴＴＩ内でマッピングされ、各短縮ＴＴＩは１〜７ＯＦＤＭシンボルを含む、無線通信装置。
【０１０２】
（５６）．ＣＲＳまたはＤＭＲＳのいずれかが各短縮ＴＴＩ内でマッピングされ、
物理チャネルを送信する短縮ＴＴＩ内のＣＲＳまたはＤＭＲＳは、物理チャネルを復調するために使用される、
（５５）に記載の無線通信装置。
【０１０３】
（５７）．ＣＲＳが一部の短縮ＴＴＩにマッピングされ、
その他の短縮ＴＴＩにはＣＲＳもＤＭＲＳもマッピングされず、
１つのＯＦＤＭシンボル内のＣＲＳが、前記１つのＯＦＤＭシンボルよりも前ではない複数のＯＦＤＭシンボルを復調するために使用されるか、または各短縮ＴＴＩよりも後ではないすべてのＣＲＳが、前記短縮ＴＴＩを復調するために使用される、
（５５）に記載の無線通信装置。
【０１０４】
（５８）．短縮送信時間間隔（ＴＴＩ）において物理チャネルを受信するステップと、
短縮ＴＴＩのうちの、またはその前の、直交周波数分割多重（ＯＦＤＭ）シンボル範囲内の参照信号（ＲＳ）に基づいて物理チャネルを復調するステップと
を含む無線通信方法であって、
セル固有参照信号（ＣＲＳ）および復調用参照信号（ＤＭＲＳ）から最大で１つのタイプのＲＳがサブフレーム内の各短縮ＴＴＩ内でマッピングされ、各短縮ＴＴＩは１〜７ＯＦＤＭシンボルを含む、
無線通信方法。
【０１０５】
（５９）．ＣＲＳまたはＤＭＲＳのいずれかが各短縮ＴＴＩ内でマッピングされ、
物理チャネルを送信する短縮ＴＴＩ内のＣＲＳまたはＤＭＲＳは、物理チャネルを復調するために使用される、
（５８）に記載の無線通信方法。
【０１０６】
（６０）．ＣＲＳが一部の短縮ＴＴＩにマッピングされ、
その他の短縮ＴＴＩにはＣＲＳもＤＭＲＳもマッピングされず、
１つのＯＦＤＭシンボル内のＣＲＳが、前記１つのＯＦＤＭシンボルよりも前ではない複数のＯＦＤＭシンボルを復調するために使用されるか、または各短縮ＴＴＩよりも後ではないすべてのＣＲＳが、前記短縮ＴＴＩを復調するために使用される、
（５８）に記載の無線通信方法。
【０１０７】
また、本開示の実施形態によれば、上記のそれぞれの通信方法内のステップを実行するためのモジュールを備える集積回路を提供することもできる。さらに、本開示の実施形態によれば、コンピューティングデバイス上で実行されたとき、上記のそれぞれの通信方法のステップを実行するプログラムコードを格納したコンピュータプログラムをその上に記憶している、コンピュータ可読記憶媒体を提供することもできる。
【図１】
2019514234.tif 000003
【図２】
2019514234.tif 000004
【図３】
2019514234.tif 000005
【図４】
2019514234.tif 000006
【図５】
2019514234.tif 000007
【図６】
2019514234.tif 000008
【図７】
2019514234.tif 000009
【図８】
2019514234.tif 000010
【図９】
2019514234.tif 000011
【図１０】
2019514234.tif 000012
【図１１】
2019514234.tif 000013
【図１２】
2019514234.tif 000014
【図１３】
2019514234.tif 000015
【図１４】
2019514234.tif 000016
【図１５】
2019514234.tif 000017
【図１６】
2019514234.tif 000018
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
１スロットに含まれる複数のサブグループの中の第１のサブグループに参照信号と物理チャネルを配置する制御回路と、
前記第１のサブグループ上で前記参照信号及び前記物理チャネルを送信する送信機と、を具備し、
前記第１のサブグループは第２のサブグループと異なるシンボル数を有する、
通信装置。
【請求項２】
１スロットにおいて前記参照信号が配置されるシンボル数は、前記複数のサブグループの数よりも少ない、
前記請求項１に記載の通信装置。
【請求項３】
前記第１のサブグループに前記参照信号が配置され、前記第２のサブグループには参照信号が配置されない、
前記請求項１に記載の通信装置。
【請求項４】
前記複数のサブグループの中の２以上のサブグループによって同一の参照信号が用いられる、
前記請求項１に記載の通信装置。
【請求項５】
前記参照信号の位置は下り制御情報（ＤＣＩ）によって通知される、
前記請求項１に記載の通信装置。
【請求項６】
前記参照信号のアンテナポート番号は無線リソース制御（ＲＲＣ）信号によって通知される、
前記請求項１に記載の通信装置。
【請求項７】
前記複数のサブグループの各々に１シンボルずつの参照信号が配置される、
前記請求項１に記載の通信装置。
【請求項８】
前記物理チャネルは前記参照信号の後ろに配置される、
前記請求項１に記載の通信装置。
【請求項９】
前記物理チャネルは前記参照信号の前に配置される、
前記請求項１に記載の通信装置。
【請求項１０】
前記参照信号は復調用の参照信号である、
前記請求項１に記載の通信装置。
【請求項１１】
１スロットに含まれる複数のサブグループの中の第１のサブグループに参照信号と物理チャネルを配置し、
前記スロット内の前記第１のサブグループ上で前記参照信号及び前記物理チャネルを送信し、
前記第１のサブグループは第２のサブグループと異なるシンボル数を有する、
通信方法。
【請求項１２】
１スロットに含まれる複数のサブグループの中の第１のサブグループに参照信号と物理チャネルを配置する処理と、
前記スロット内の前記第１のサブグループ上で前記参照信号及び前記物理チャネルを送信する処理と、を制御し、
前記第１のサブグループは第２のサブグループと異なるシンボル数を有する、
集積回路。
【手続補正３】
【補正対象書類名】明細書
【補正対象項目名】０００１
【補正方法】変更
【補正の内容】
【０００１】
本開示は、通信装置、通信方法および集積回路に関する。
【国際調査報告】
2019514234.tif 000019
2019514234.tif 000020